Podtech/llm-jp-corpus-v4-ja_patent huggingface dataset:
(57)【要約】　　　（修正有）【課題】自分自身で髪の毛をカットできるようにする。【解決手段】Ｕ字形のプラスチッククリップで頭髪を止め、はみ出した部分をハサミでカットする。【選択図】図１
2004089670.tif 000002
【特許請求の範囲】
【請求項１】
（イ）Ｕ字型プラスチッククリップである
（ロ）Ｕ字型クリップを頭髪全体に止める
（ハ）止めたらクリップよりはみ出た部分又は手前の毛を切る
【請求項２】
一人で髪の毛が切れる装置
【発明の詳細な説明】
【０００１】
〔発明の属する技術分野〕　本発明は頭髪カットを
自分自信が安心してカットできるものです
【０００２】
〔従来の技術〕　従来一人で頭髪カットする器具はありますが充電をしなければなりません又手さぐりでしなければなりません手さぐりは不安があります片手に器具を持てば左右どちらかはやりにくいものです
【０００３】
〔発明が解決しようとする課題〕　したがってこのクリップを装置すれば短時間で安心してカットできます頭は円型ですので止める角度により好みのヘアースタイルが作れます親が子供の散髪をする時使用すれば安心してハサミを入れられます
【図面の簡単な説明】
【図１】本発明の斜視図
【図２】本発明の閉じた状態の斜視図
【図３】本発明の開いた状態の平面図
【図４】本発明の閉じた状態の側面図
【図５】本発明の係合突子係合凹子の部分の側面図
【図６】本発明の使用時の斜視図
【図７】本発明の使用時の正面図
【符号の説明】
（１）Ｕ字クリップ
（２）スベリ止
（３）係止突起
（４）係止小孔
【図１】
2004089670.tif 000003
【図２】
2004089670.tif 000004
【図３】
2004089670.tif 000005
【図４】
2004089670.tif 000006
【図５】
2004089670.tif 000007
【図６】
2004089670.tif 000008
【図７】
2004089670.tif 000009
(57)【要約】【課題】この発明は，手スリが付いた浴槽の，右側または左側に，手スリが付いた移乗台を設けた，脳卒中の片側マヒ障害で使いやすい，移乗台付き浴槽に関するものである。【解決手段】手スリ（１）が付いた浴槽（２）の右側に，手スリ（１）が付いた右用移乗台（３）を設ける。以上のように構成して，脳卒中の片側マヒ障害で使いやすい，右勝手仕様の移乗台付き浴槽をつくる。また，手スリ（１）が付いた浴槽（２）の左側に，手スリ（１）が付いた左用移乗台（４）を設ける。以上のように構成して，脳卒中の片側マヒ障害で使いやすい，左勝手仕様の移乗台付き浴槽をつくる。【選択図】　図１
2004089669.tif 000002
【特許請求の範囲】
【請求項１】
（イ）手スリ（１）が付いた浴槽（２）の右側に，手スリ（１）が付いた右用移乗台（３）を設ける。
以上の如く構成された，脳卒中の片側マヒ障害で使いやすい移乗台付き浴槽。
【請求項２】
（イ）手スリ（１）が付いた浴槽（２）の左側に，手スリ（１）が付いた左用移乗台（４）を設ける。
以上の如く構成された，請求項１の脳卒中の片側マヒ障害で使いやすい移乗台付き浴槽。
【請求項３】
（イ）手スリ（１）が付いた浴槽（２）の右側に，手スリ（１）が付いた右用移乗台（３）を設ける。
（ロ）手スリ（１）が付いた浴槽（２）の左側に，手スリ（１）が付いた左用移乗台（４）を設ける。
以上の如く構成された，請求項１の脳卒中の片側マヒ障害で使いやすい移乗台付き浴槽。
【発明の詳細な説明】
【０００１】
【発明の属する技術分野】
この発明は，手スリが付いた浴槽の横に，手スリが付いた移乗台を設けた，脳卒中の片側マヒ障害で使いやすい，移乗台付き浴槽に関するものである。
【０００２】
【従来の技術】
従来の移乗台付き浴槽は，右勝手仕様，左勝手仕様がなかった。このため，手スリが付いていても，脳卒中の片側マヒ障害の状態によっては，大変使い勝手が悪い場合があった。
【０００３】
【発明が解決しようとする課題】
本発明は，手スリが付いた浴槽の，右側または左側に，手スリが付いた移乗台を設けることにより，移乗台付き浴槽を，右勝手仕様，左勝手仕様とし，脳卒中の片側マヒ障害の状態にあわせた，使いやすい移乗台付き浴槽ができるよう発明した。
【０００４】
【課題を解決するための手段】
いま，その構成を説明すると，
（イ）手スリ（１）が付いた浴槽（２）の右側に，手スリ（１）が付いた右用移乗台（３）を設ける。
以上のように構成して，脳卒中の片側マヒ障害で使いやすい，移乗台付き浴槽をつくる。また，
（イ）手スリ（１）が付いた浴槽（２）の左側に，手スリ（１）が付いた左用移乗台（４）を設ける。
以上のように構成して，脳卒中の片側マヒ障害で使いやすい，移乗台付き浴槽をつくる。
【０００５】
【発明の実施の形態】
次に本発明の実施の形態を述べると，手スリ（１）が付いた浴槽（２）の右側に，手スリ（１）が付いた右用移乗台（３）を設ける。そして入浴する場合は，右用移乗台（３）に腰掛けると，手スリ（１）が身体の右側にあるので，右勝手仕様の移乗台付き浴槽となる。
また，手スリ（１）が付いた浴槽（２）の左側に，手スリ（１）が付いた左用移乗台（４）を設ける。そして入浴する場合は，左用移乗台（４）に腰掛けると，手スリ（１）が身体の左側にあるので，左勝手仕様の移乗台付き浴槽となる。
続いて，手スリ（１）が付いた浴槽（２）の右側に，手スリ（１）が付いた右用移乗台（３）を設ける。さらに，手スリ（１）が付いた浴槽（２）の左側に，手スリ（１）が付いた左用移乗台（４）を設ける。そして入浴する場合は，右用移乗台（３）に腰掛けると，手スリ（１）が身体の右側にあるので，右勝手仕様となる。また，左用移乗台（４）に腰掛けると，手スリ（１）が身体の左側にあるので，左勝手仕様となり，右勝手，左勝手，共用の移乗台付き浴槽となる。
これにより，脳卒中の片側マヒ障害の状態にあわせた使いやすい，移乗台付き浴槽ができる。
【０００６】
【発明の効果】
脳卒中の病気になると，片側マヒの障害を伴うため，片側マヒ障害の状態にあわせた，右勝手仕様，左勝手仕様，の移乗台付き浴槽は，大変使いやすい。また，手スリが浴槽及び移乗台に付いているため，浴室自体の壁面に手スリを取付ける必要がないので，設置が簡単に行なえる。
【図面の簡単な説明】
【図１】本発明実施の斜視図
【図２】本発明の他の実施例の斜視図
【図３】本発明の他の実施例の斜視図
【符号の説明】
１は手スリ
２は浴槽
３は右用移乗台
４は左用移乗台
【図１】
2004089669.tif 000003
【図２】
2004089669.tif 000004
【図３】
2004089669.tif 000005
(57)【要約】【課題】本発明は、歩行者の足に加わる体重を減らした状態で楽な歩行を可能とし、しかも安全で取り扱いを容易にし、疲れたときは何時でも椅子で休息でき、長時間使用可能な室内用の安価な歩行器の提供を課題とする。【解決手段】市販の椅子を歩行器の母体に採用し、歩行中椅子の足から発生する振動を抑制するため、二枚の前振動防止器具２と横振動防止器具３と４を設けた。次に、振動防止器具２には、床面との摩擦を調節できるローラーと上面には二枚の滑りやすい素材を取り付け、さらに椅子の上部にはコップを置き、時々椅子で休息しながら歩行を可能とすることにより上記課題を解決した。【選択図】　　図１
2004089633.tif 000002
【特許請求の範囲】
【請求項１】
椅子型の歩行器に於いて椅子の足は全て振動防止器具で固定し、足を進行方向に固定した二本の振動防止器具には滑り易い素材とローラーとを取り付けた屋内用椅子型歩行器。
【発明の詳細な説明】
【０００１】
【発明の属する技術分野】
本発明は、屋内で立位、歩行が困難な人の歩行を補助するための歩行器に属す。
【０００２】
【従来の技術】
従来の歩行器は一般にキャスターを使用したものが多く、不注意で滑らないような工夫も求められていた。また、歩行時には体重の大部分が足に加わり、足や腰の弱い人には負担も大きかった。さらに、疲れたときに椅子に座ってお茶でも飲めるようなものも無かった。そこで、これらの問題を少ない費用で解決した歩行器の出現が求められている。
【０００３】
【発明が解決しようとする課題】
本発明は、足に加わる体重を減らした状態で歩行を可能にし、途中何時でも椅子に座わって休息でき、長時間歩行可能で、しかも取り扱い容易にして安価で安全な歩行器の提供を課題とする。
【０００４】
【課題を解決するための手段】
本発明は、上記課題を解決するため種々検討を重ねた結果、通常使用されている椅子を歩行器の母体に採用し、椅子の上部にはコップを置き、椅子の各足は歩行中によく発生する振動を振動防止器具で止めると共に、足の裏側の進行方向に貼り付けた二本の防止器具には、床面との滑りを調節できるローラーと上面には二枚の滑り易い素材を取り付ける事により上記課題を解決した。
【０００５】本発明の第１の特長は、一般に使用されている椅子を母体として加工された歩行器であるため，安価にできる。
【０００６】第２の特長は、椅子の足に摩擦のあるローラーを使用しているため、歩行中に不注意で滑るようなこともなく、安心した歩行が可能である。
【０００７】第３の特長は、足の弱い歩行者に対し、体重の一部は手に加わるのでその重量だけ足が軽くなり、見かけの体重を減らした状態で歩行が可能になる。
【０００８】第４の特長は、歩行中に疲れたときは何時でも椅子に座って休息がとれる。さらに、歩行中には手にも力が加わるので身体の運動になり健康増進にも寄与する。
【０００９】第５の特長は、老人ホーム等で使用した場合、周りの椅子と同じ椅子であるから周囲の人との違和感を感じさせるようなこともない。
【００１０】第６の特長は、歩行器として使用しないときは普通の椅子としてそのまま使用できる。
【００１１】
【発明の実施の形態】
以下本発明の一実施例を図１〜図４に従って詳細に説明するが、本発明は以下の実施例に限定されるものではない。
【００１２】図１は本発明の椅子型歩行器の構造とその使用例を示す。同図で、まず椅子本体９だけでは滑りが悪く、さらに椅子の足５，６が振動し歩行器としては成立しない。そこで二本の前振動防止器具２と横振動防止器具３と４を使用し、歩行中の振動を防止すると共に前振動防止器具の下側には路面との摩擦を前後左右共に一定に保つため、それを調節できるローラー１を４個取り付けている。このようにすると、歩行者１２は安心してアーム８に手１１を押しつけ、足に加わる体重を減らした状態で自由な向きに歩行できる。
【００１３】図２はローラー取り付けの断面図を示す。　取り付けはボルト１４とナット１５を締め、ローラの回転方向の摩擦力と床面で生じる軸方向の摩擦力が同じになるようにし、椅子が前後と左右同じ力で移動できる用に調整してねじを固定する。これでブレーキとキャスターが不要になる。路面の状態は多種多様で調整が困難な場合は器具を反転し、ローラーの上面に貼り付けた二枚の潤滑板１６を下向きに取り付けて対応する。
【００１４】図３は足が弱く一般に使用されている歩行器でも歩行が困難な場合に使用した椅子型歩行器の例である。この場合、歩行者の手１１を座部７に押付けるけることで、足に加わる体重はかなり軽減され、足に大きな負担をかけることなく楽な歩行が可能になる。
【００１５】足の弱い歩行者が手すり等につかまって歩く場合は行き先が制限される。図４は手すりの代わりに椅子型歩行器９を手１１で握り自由な歩行を実現した一例である。疲れを感じたときは何時でもコップのお茶でも飲みながら椅子に座って休息が可能である。
【００１６】
【発明の効果】
本発明は、以上説明したような構成の結果、歩行中の足に加わる見かけの体重の減少を計ると図１の場合で約２０％，図２の場合で約４０％程度になり、可成り足にかかる負担の軽減される効果が示された。さらに、一例として車椅子で生活していた１００歳近い老人が椅子型歩行器の使用により自由に歩けるとようになる言うような効果や、車椅子を使用していた肥満の老人が、図２の状態で椅子型歩行器を使用し、手や足の運動が活発化し、一年あまりで体重が約６ｋｇも減少して健康が回復するという効果も見られた。
【図面の簡単な説明】
【図１】「椅子型歩行器の構造とその使用図である。」
【図２】「ローラーと潤滑板取り付けの断面図である。」
【図３】「椅子型歩行器の伏せ歩き図である。」
【図４】「椅子型歩行器の立ち歩き図である。」
【符号の説明】
１：ローラー
２：前振動防止器具
３：横振動防止器具
４：横振動防止器具
５：椅子の前足
６：椅子の後足
７：座部
８：アーム
９：椅子
１０：物置台
１１：歩行者の手
１２：歩行者
１３：コップ
１４：ボルト
１５：ナット
１６：潤滑板
【図１】
2004089633.tif 000003
【図２】
2004089633.tif 000004
【図３】
2004089633.tif 000005
【図４】
2004089633.tif 000006
(57)【要約】【課題】食卓などで調理用鍋の蓋を置くところに困らず、蓋の内側に付着したつゆで周りを汚すことを防ぐことのできる、鍋蓋支持具付き調理用鍋蓋を提供する。【解決手段】調理用鍋蓋のつまみ４に接続したアーム状の支持部５を設けることで、アーム状の支持部５が調理用鍋の把手や鍋本体の外面６に引っ掛けて鍋蓋２を鍋本体１の縁に立てた状態で保持できる。また、図４・図５の鍋蓋支持具を他の鍋蓋支持具が設けられていない鍋蓋に、従来付いている鍋蓋のつまみと取り替えて鍋蓋支持具を設けることで、鍋蓋の置くところに困らず、蓋の内側に付着したつゆで周りを汚すことも防げる。【選択図】図１
2004089634.tif 000002
【特許請求の範囲】
【請求項１】
調理用鍋蓋のつまみ部分に接続しているアーム状の支持部で前記アーム状の支持部の長さは鍋蓋の半径より小さいことを特徴とする鍋蓋支持具付き調理用鍋蓋。
【請求項２】
前記アーム状の支持部は、鍋蓋のつまみも兼ねて一体構造をしていることを特徴とする請求項１に記載の鍋蓋支持具付き調理用鍋蓋。
【請求項３】
前記アーム状の支持部は、鍋の把手や鍋本体の外面に引っ掛けて鍋蓋を鍋本体の縁に立てた状態で保持できることを特徴とする請求項１・２に記載の鍋蓋支持具付き調理用鍋蓋。
【請求項４】
前記アーム状の支持部は、鍋蓋のつまみと接続又は一体構造になっており、従来の鍋蓋のつまみの取り付け方法で簡単にできることから
鍋蓋支持具（図４・図５）を他の鍋蓋のつまみ部分と取り替えて使用できることを特徴とする鍋蓋支持具。
【発明の詳細な説明】
【０００１】
【発明の属する技術分野】
本発明は調理用鍋の蓋を置くところに困らない鍋蓋支持具付き調理用鍋蓋に関する。
【０００２】
【従来の技術】
食卓で鍋の蓋を置くところに困ることも多く、また、調理用鍋の鍋本体に鍋蓋の外周が係合する溝を設けて、鍋蓋を立てられるようにした調理用鍋が出願されている（出願番号　：特許出願平９−１５２５０４）が、煮炊きをしているとき鍋に設けた溝から煮立った汁が流れ出る欠点がある。
【０００３】
【発明が解決しようとする課題】
食卓で鍋の蓋を置くところに困ることだけではなく、蓋の内側に付着したつゆで周りを汚すこともあり、また、鍋に設けた溝から煮立った汁が流れ出ることもある。これらの欠点を解消するために鍋蓋支持具付き調理用鍋蓋を提供することを目的としている。
【０００４】
【課題を解決するための手段】
上記の課題は本発明によれば、鍋蓋のつまみに接続したアーム状の支持部を設けることで解決することができる。
【０００５】
また、上記の課題は本発明によれば、前項においてアーム状の支持部を鍋蓋のつまみを設ける部分に一体構造のつまみを兼ねた鍋蓋支持具を設けることで解決することができる。
【０００６】
そして、前項において、鍋蓋支持具（図４・図５）は鍋蓋支持具の設けられていない鍋の蓋のつまみ部分と取り替えて、鍋蓋支持具を設けることで解決できる。
【０００７】
【発明の実施の形態】
以下、本発明の実施の形態について説明する。
本発明は、一般に使用されている調理用鍋の鍋蓋に設けたアーム状の支持部で鍋蓋のつまみ部分に接続した状態で設けられている。
【０００８】
アーム状の支持部の長さは、鍋蓋の半径よりも小さく設けることにより、鍋蓋を裏返して鍋の本体に収納することができる。
【０００９】
アーム状の支持部を鍋蓋のつまみを兼ねた一体構造にして、鍋蓋に設けることができる。
【００１０】
鍋蓋支持具が設けられていない鍋蓋のつまみを、アーム状の支持部付きのつまみと取り替えて使用することで
一般の調理用鍋蓋も、鍋蓋支持具付きの調理用鍋蓋として使用できる。
【００１１】
鍋蓋支持具の形状・大きさは特定せず、調理用鍋の把手や鍋本体の外面に引っ掛けて使用できる形状で、鍋の大きさに合えばよい。
【００１２】
【実施例】
図１は本発明の一実施例を説明する斜視図である。１は調理用鍋本体で、２は鍋蓋、３は把手で４はつまみ、５はアーム状の支持部で４のつまみと一体となっており、つまみ４と同じ材質、または、異なる材質でもよく、破損しにくい材質であればよい。
【００１３】
鍋蓋のつまみ４やアーム状の支持部５の形状・大きさは特定せず、鍋の把手３や鍋本体の外面６にアーム状の支持部５を引っ掛けて使用できる。
【００１４】
この図２の状態は、アーム状の支持部５を鍋本体の外面６に引っ掛けて使用している状態である。
【００１５】
また、図５はつまみ４とアーム状の支持部５を一体構造にしたもので図４と同様、他の鍋蓋のつまみと取り替えて、鍋蓋支持具付き調理用鍋蓋として使用できる。
【００１６】
また、前記した実施例において、鍋蓋支持具は従来の鍋蓋のつまみの取り付け方法と同様で、簡単にできる。
【００１７】
【発明の効果】
以上のように本発明によれば、食卓などで鍋の蓋を置くところに困らず、蓋の内側に付着したつゆで周りを汚すこともなくなる。
【００１８】
また、鍋蓋支持具を鍋の把手や鍋本体の外面に引っ掛けて置くことで、鍋蓋を鍋本体の縁に立てた状態で保持できる。
【００１９】
また、鍋蓋支持具により、鍋の蓋を平面上に立てて置くことができる。
【００２０】
さらに、鍋蓋支持具は、鍋蓋支持具の無い鍋蓋にも簡単に設けることができ、鍋蓋支持具付き調理用鍋蓋として使用できる。
【００２１】
統括して、本発明の鍋蓋支持具付き調理用鍋蓋は、鍋本体の縁に蓋を立てた状態で保持でき、蓋に付着したつゆも鍋の内部に落ち、周りを汚すことを防ぐ効果を得られる。
【図面の簡単な説明】
【図１】本発明の一実施例の斜視図である。
【図２】本発明の一実施例の斜視図である。
【図３】本発明の一実施例の斜視図である。
【図４】本発明の一実施例の斜視図である。
【図５】本発明の一実施例の斜視図である。
【符号の説明】
１．　　　　　鍋本体
２．　　　　　蓋
３ａ，３ｂ　　把手
４．　　　　　つまみ
５．　　　　　アーム状の支持部
６．　　　　　鍋本体の外面
７．　　　　　鍋蓋支持具
【図１】
2004089634.tif 000003
【図２】
2004089634.tif 000004
【図３】
2004089634.tif 000005
【図４】
2004089634.tif 000006
【図５】
2004089634.tif 000007
(57)【要約】［課題］　従来の電気かみそり用掃除機は汎用性のあるものがなく、使用場所に制限のあること等、問題点がある。そこで１台の機械で殆ど全ての電気かみそりを掃除することができ、使用場所も自由に選べる電気かみそり用掃除機を提供する。［解決手段］　モータ駆動ファンによる吸入空気を用いた方式により、電気かみそり取付口（１）の内側に気流制御具（２）を設け、掃除機の下部ケース（３）の外側に保護カバー（６）を設ける。【選択図】　　　　図１
2004089632.tif 000002
【特許請求の範囲】
【請求項１】
電気かみそり取付口（１）の内側に、気流制御具（２）を設けた電気かみそり用掃除機。
【請求項２】
掃除機の下部ケース（３）にある排気穴（４）及びモータスッチ（５）の外側に、保護カバー（６）を設けた電気かみそり用掃除機。
【発明の詳細な説明】
【０００１】
［発明の属する技術分野］
本発明は、モータ駆動ファンによる吸入空気を用いた電気かみそり用掃除機に関する。
【０００２】
［従来の技術］
従来の電気かみそり用掃除機においては、その構成上から特定機種、型式に限られた電気かみそりとのセット物となっており汎用性がないものであった。また、使用できる場所として冠水の可能性のある洗面所での使用に難のあるものであった。
【０００３】
［発明が解決しようとする課題］
この発明は、前記した電気かみそり用掃除機の問題点を解消して、１台の機械で殆ど全ての電気かみそりを掃除することができ、使用場所も自由に選べる電気かみそり用掃除機を堤供することを目的とする。
【０００４】
［課題を解決するための手段］
上記目的を達成するために、本発明の電気かみそり用掃除機はモータ駆動ファンによる吸入空気を用いた方式による。
【０００５】
電気かみそりの先端部形状と寸法は、一般髭剃り用からボデーシェーブ用に亘り多種多様であるが使用上の点から最大寸法は自ずと定まってきている。そこで本発明の電気かみそり取付口は、これらの電気かみそりの殆ど全てが取り付く形状及び大きさとし取付口の内側には気流制御具を設けて掃除気流の制御を行っている。
【０００６】
これで、掃除をする電気かみそりの先端部が三角形の場合は気流制御具の取付は不要であり、その他の電気かみそりの場合は気流制御具の取付けた状態で使用する。この切り替えは極めて簡単な差し込み、及び取外しによっている。
【０００７】
本発明の電気かみそり用掃除機は、下部ケースにある排気穴から水平方向への排気流を下向きの流れにする為に下部ケースの外側に保護カバーを設けている。この為に下部ケースに開口のある排気穴及びスイッチの部分は、洗面所で冠水を受けた場合の浸水を防止されるので、掃除機全体として冠水に耐えられる。
【０００８】
本発明の電気かみそり用掃除機は、上部ケース部分と下部ケース部分に分かれ、下部ケース部分にはファン付モータ、スイッチ、配線等を内蔵し、上部ケース部分には配線その他、電気関係品を使用していないので丸洗い水洗ができ衛生的である。
【０００９】
［発明の実施の形態］
以下、図面に基づいて本発明の実施形態を説明する。
【００１０】
（実施例）
図１は、本実施例の電気かみそり用掃除機の縦断面図であり、図２は、本実施例の電気かみそり用掃除機の使用状況を示す図であり、図３は、本実施例の電気かみそり用掃除機の使用状況を示す図である。
【００１１】
図１において、本発明の電気かみそり用掃除機は上部ケース部分と下部ケース部分に二分されており、上部ケース７の上部には電気かみそり取付口１が設けられている。その内側には気流制御具２が設けられている。上部ケース７の中程にフィルタを取付ける仕切り板８があり、その下側にフイルタ９が設けられている。下部ケース３の内にはファン１０、モータスイッチ５が設けられている。
【００１２】
下部ケース３には排気穴４がある。これから水平方向に排出する空気の流れを下向きとして緩和し使用者への風あたりを防ぐと共に、洗面所等で冠水を受けた場合の浸水防止の為に、下部ケース３の外側に保護カバー６を設けている。
【００１３】
下部ケース３の下側には底板１１があり置き場所との接触面外側の下面には回り止めを設けている。
【００１４】
［発明の効果］
本発明は、次の効果を奏する。
【００１５】
（ａ）請求項１の発明によれば、電気かみそり取付口に気流制御具を使用することにより、１台で殆ど全ての電気かみそりの掃除が極めて短時間にできるので、多人数の共用に適している。
【００１６】
（ｂ）請求項２の発明によれば、掃除機の下部ケースにある排気穴及びモータスイッチの外側に、保護カバーを設けたことにより排気が水平方向に吹き出し使用者にあたることがない下向き緩和流とし、洗面所等で冠水を受けた場合でも内部への浸水は起こらないので使用場所も自由に選べる。
【図面の簡単な説明】
【図１】本發明の実施例における電気かみそり用掃除機の縦断面図
【図２】本發明の実施例における電気かみそり用掃除機の使用状況図
【図３】本発明の実施例における電気かみそり用掃除機の使用状況図
【符号の説明】
１　　電気かみそり取付口
２　　気流制御具
３　　下部ケース
４　　排気穴
５　　モータスイッチ
６　　保護カバー
７　　上部ケース
８　　仕切り板
９　　フイルタ
１０　ファン
１１　底板
１２　取付口蓋
１３　電気かみそり
【図１】
2004089632.tif 000003
【図２】
2004089632.tif 000004
【図３】
2004089632.tif 000005
(57)【要約】【課題】主として、塩ラーメン、バターラーメンに多く見られる、コーン等の具は、従来のレンゲでは掬い取ることが、難しい。尚汁を飲み干すのは、塩分の摂り過ぎになり、健康上好ましくない。速やかに、スマートに具だけを食するため、食材の無駄を省き、残飯の減少に寄与する。【解決手段】レンゲの必要な部位に、直径２ミリくらいの、穴を網状に設けて、レンゲに関わる汁の流れを、コントロールし課題の目的を、十分にクリアー出来る、考案である。【選択図】　図１
2004089647.tif 000002
【特許請求の範囲】
【請求項１】
陶器又はプラスチック等のレンゲに、複数の穴をあけ、汁が速やかに抜けて、具をすくい易くした食器。
【発明の詳細な説明】
【００１】
【産業上の利用分野】
この考案は、中華料理店ラーメン屋又はうどん屋等汁物丼を、提供する業者又は家庭に於いて、サービス及び人の健康に貢献できるもの。
【００２】
【従来の技術】
従来の穴無しのレンゲでは、箸で掴めないような、又つかみ難い具、コーン、薬味等が汁と共に流れ落ち、使いにくく汁専用の感あり。
【００３】
【発明が解決しようとする課題】
これには次のような欠点があった。
（イ）昨今日本人の塩分の取り過ぎが指摘されていること。
（ロ）イ、の事情を考え、なるべく麺類の汁を飲みきる事の是非。
（ハ）汁の中に沈んだ具だけを有効に、食したい。
（二）そう言っても何度も箸やレンゲで、具を追いかけるのも気恥ずかしい。
（ホ）汁を速やかに、排除し具をスマートに食したい願望を満たす事。
本発明は、これらの欠点を除くためになされたものである。
【００４】
【課題を解決するための手段】
レンゲに、適度な穴を的確に開け、汁の流れをコントロールし、網で掬うが如く補足し、又穴の位置を変える事により、汁も飲むことが出来る。
本発明は、以上のような構成による穴あきレンゲ器である。
【００５】
【発明の実施の形態】
以下本発明の実施例について説明する。
（イ）先ず具を優先的に掬うことを、第一に考える時、レンゲが口に当る方から、底の半ばまでに多く穴を設ける。
（ロ）同時に汁も適度に掬いたい時は、レンゲの先端の、斜面の部分のみに穴を設ける。
（ハ）なお一層多く汁を掬いたい時、通常平面な底の部分に一段深い場所を設ける。
本発明は、以上のように用途に応じて、僅かな修正でいろいろバリエーションが考えることが出来る。
【００６】
【発明の効果】
これには次のような効果がある。
（イ）血圧の人には、汁を排除する事により減塩効果がある。
（ロ）店に於いては、イ、のことを明示して、これを常備すれば、客の健康に配慮したサービスがアピールできる。
（ハ）器の中の細かい具、コーンや薬味などが、スマートに摂取できる事により、特に女性客に好評とのデーターがある。
（二）こうして細かな具だけを、残らず食すことの出来る、このレンゲを使うことにより、食材を有効に摂取し、処分し難い残飯を減少させ、厨房の衛生管理などに貢献できる。
【図面の簡単な説明】
【図１】本発明の斜視図である。
【図２】本発明の第２案の斜視図である。
【図３】本発明の第３案の斜視図である。
【図１】
2004089647.tif 000003
【図２】
2004089647.tif 000004
【図３】
2004089647.tif 000005
(57)【要約】【課題】ふくらはぎの脂肪燃焼とＯ脚の矯正、骨盤矯正による内臓脂肪燃焼、及び健康の増進を促すサンダルを提供する。【解決手段】サンダル台部（足を載せる面）の、履いた際足裏の小指付け根部分（１）、および踵の外側部分（２）に当たる位置に、弾性体等の突起物を取り付ける。【選択図】　図１
2004089646.tif 000002
【特許請求の範囲】
【請求項１】
サンダルの台部（足を載せる面）の小指付け根部分（１）及び踵外側部分（２）に突起物を取り付けた方法。
【請求項２】
請求項１の突起物は複数の柱状突起（３）及び（４）、又は底面の直径２〜３センチメートル、高さ５〜１０ミリメートルの円柱形突起とする。
【請求項３】
突起物の材質は、弾性体又は金属等とする。
【発明の詳細な説明】
【０００１】
【発明の属する技術分野】
この発明は、ふくらはぎの脂肪燃焼とＯ脚の矯正、骨盤矯正による内臓脂肪燃焼、及び健康の増進を促すサンダルに関するものである。
【０００２】
【従来の技術】
従来のいわゆる健康サンダルは、台部（足を載せる面）全てに突起物があり、足裏への刺激によって健康の増進は可能であったものの、ふくらはぎの脂肪燃焼、Ｏ脚の矯正、骨盤矯正による内臓脂肪燃焼に対しての効果は薄かった。
【０００３】
【発明が解決しようとする課題】
これには次のような欠点があった。
サンダルの台部（足を載せる面）全面に突起物をつける方法では、足裏のつぼを刺激し、健康の増進を助けるだけに留まり、ふくらはぎの脂肪燃焼、Ｏ脚の矯正、骨盤矯正による内臓脂肪燃焼への効果は望めなかった。
本発明は、以上の欠点を解決するためになされたものである。
【０００４】
【課題を解決するための手段】
サンダル台部（足を載せる面）の、履いた際足裏の小指付け根部分（１）、及び踵の外側部分（２）に当たる位置に、突起物を取り付ける。
本発明は、以上の構成よりなるふくらはぎの脂肪燃焼とＯ脚の矯正、骨盤矯正による内臓脂肪燃焼、及び健康の増進を促すサンダルである。
【０００５】
【発明の実施の形態】
以下、本発明の実施の形態を説明する。
サンダル台部（足を載せる面）の、履いた際足裏の小指付け根部分（１）、及び踵の外側部分（２）に当たる位置に、ゴム又は合成樹脂等で出来た弾性体の、高さ１センチメートル程度の柱状突起物を複数取り付ける。
本発明を使用するときは、履いて歩く際に、なるべく柱状突起物の上に乗らないように心掛ける。また柱状突起物に乗った場合、痛み又は違和感を感ずるので、自然と乗らないようになる。
ふくらはぎの脂肪燃焼がなされないのは、両足の外側に重心が移動し、その結果Ｏ脚となり足の形が歪んだためであり、歩行時にこの柱状突起物を意識し、乗らないように心掛けることで、重心が正しい位置に戻り、結果として代謝が良くなり脂肪燃焼が促進され、Ｏ脚の矯正への効果も見られる。
同様に、正しい位置に重心をかけて歩行することにより、骨盤が本来の形に矯正される。これにより代謝が促進され、内臓脂肪の燃焼を促す。
また、誤って柱状突起物に乗ってしまった場合でも、この部分には健康増進のつぼがあり、（小指付け根部分は肩、踵外側部分はひざ）肩こり、ひざの痛みといった症状の緩和の期待も出来る。
【０００６】
【発明の効果】
本発明を使用することによって、ふくらはぎの脂肪燃焼とＯ脚の矯正、骨盤矯正による内臓脂肪燃焼、及び健康の増進を促す。
【図面の簡単な説明】
【図１】サンダルの台部（足を載せる面）である。左右それぞれ２カ所（１）、（２）の斜線部分に柱状突起がある。その範囲は直径２〜３センチメートルである。サンダルはゴム又は合成樹脂等で作られ、ひも、バンド等で足に固定される。
【図２】図１の斜線部分を上から見た図である。柱状突起は（３）や（４）のように配置される。又、これは底面の直径２〜３センチメートル、高さ５〜１０ミリメートルの円柱型突起１つをもってこれに代えることも出来る。素材はサンダル本体と同じものを用いて製造される。又は金属などを用いて取り付けることも可能である。
【図３】図２の複数の柱状突起の１本を横から見た図である。上部が丸みを帯びた円柱形であり、底面の直径３〜５ミリメートル程度、高さ５〜１０ミリメートル程度である。
【符号の説明】
１　柱状突起物位置（小指付け根部分）
２　柱状突起物位置（踵の外側部分）
３　柱状突起配置（６本）
４　柱状突起配置（７本）
【図１】
2004089646.tif 000003
【図２】
2004089646.tif 000004
【図３】
2004089646.tif 000005
(57)【要約】【課題】高温多湿な夏の寝苦しい就寝環境を解消するために、寝具内に人工的に空気を循環させる事により除湿し快適な就寝環境を作り、同時に、冬の寝具内の暖房、布団乾燥機としても機能する、敷き布団・ベッド用敷きパッドを提供する。【解決手段】布団乾燥機様の通風性のある布製風袋７を、上から荷重が掛かった状態でも風袋内部の通風を確保できる構造物６をセットした形態とし、これを敷き布団、マットレス等の上に敷き、そこに送風機１により外気を送風する事によって、寝具内の除湿を行い、快適な就寝環境を得られるようにする。また、送風機１は、内蔵のヒーターによって、寝具乾燥、寝具内の暖房も行う機能もあわせ持つ。【選択図】図３
2004089660.tif 000002
【特許請求の範囲】
【請求項１】
夏季の高温・多湿の環境下で就寝する際の、体温・発汗による高温・多湿の寝苦しい寝具内の環境を、人工的に空気を送り込むことによって除湿を行い、快適な就寝環境を作るためのパッドおよびそれに附随する装置。
【請求項２】
同時に、送風装置に内蔵されるヒーターにより、布団乾燥機能と共に、冬季における寝具内の暖房も行う装置。
【発明の詳細な説明】
【０００１】
【発明の属する技術分野】
本発明は、睡眠の環境として劣悪な、夏季に於ける寝具内環境を除湿する事によって改善すると共に、内蔵されるヒーターによって、冬季に於ける寝具　内の暖房、また、寝具の乾燥機能を弊せ持つようにしたものである。
【０００２】
【従来の技術】
従来、高温・多湿の環境下での寝具としては、ハンモックや、イ草マット等がある。あるいはエアコンにより、寝室そのものを除湿・冷房する、扇風機によって、寝具の外から風を送る方法がある。
【０００３】
【発明が解決しようとする課題】
特に夏季、高温・多湿の環境の中で就寝する際、布団・ベッド等通常の寝具では、体温・発汗により、熱・湿気が内部にこもり、寝苦しい状況を避けられなかった。また、ハンモック等は、一般的な住環境下では設置が難しく、イ草マット等では、ヒートアイランド化した環境下では効果も薄い。
近年、エアコンの普及により、冷房状態のまま就寝する事も一般化しつつあるが、全就寝時間中に渡る連続冷房運転は、冷え過ぎを招きがちで、必ずしも健康的ともいえず、エネルギー消費の面でも効率的ともいいきれない。
また、扇風機による送風も、寝具外部より送風するという点で、必ずしも効率的な送風方法ともいえない。
【０００４】
【課題を解決するための手段】
本発明は、一般的な布団・ベッドによる就寝環境を前提に、そこに効率的で簡便な装置を付加する事により、手軽に健康的で快適な就寝環境を作る事を目的とし、通常の敷き布団・マットレスの上に設置して使う、通風機能を持ったベッドパッド型の通風装置とした。
基本的な構造は、従来よりある布団乾燥機様の装置の、通風性のある布製風袋７の中に、就寝のために上から人が乗った時に、通風が妨げられないための構造物６を、取り外し可能な状態でセットした物５に、風量コントローラー付きの送風装置１を接続し、おだやかな送風を可能としたもの。
これにより、就寝時の布団内部より通風による除湿を行い、就寝環境を快適に保つ事ができるようにした。
さらに、送風装置１には、ヒーター３を内蔵し、タイマー付きの温度、風量コントローラー４によって送風、温度、作動時間を制御する事ができる。
【０００５】
【発明の実施の形態】
以下、本発明の実施の形態について説明する。
（イ）樹脂、木、セラミック、金属等のパイプ状の中空構造物を紐等により、ネット状に連結した構造物６を、別体の布製風袋７の中にセットする事により、上に人が寝た時、布製風袋５が潰れる事によって風袋内の空気の流動を妨げないよう通風のための空間を確保しつつ、敷き布団・マットレス等１２の形状、変型に追従できる柔軟性を持ち、その布製風袋の一端に、風量コントロールのできる送風装置１を取り付ける事により、風袋の布地を通して空気が噴出する構造。
これを敷き布団、マットレス等１２の上に敷き、シーツ１０をその上に掛け、風量調整器と、タイマー等の制御装置４の付いた送風装置１より供給される空気によって、寝具内の除湿を行う事により、夏季の高温・多湿の環境下での快適な寝床環境を作り上げる。
なお、布製風袋７は、風袋の生地を、身体への当たりをソフトにしつつ、通気性を損なわない厚手の布、もしくはパイル状の布で作成する事によって、シーツを使用しないで直接その上に寝る事のできる形態とする事ができる。また、布製風袋７の両サイドに、紐１５を付ける事によって、敷き布団、マットレス等１２とのズレを防止する事ができる。
（ロ）送風装置１に制御装置４付きのヒーター３を内蔵する事により、布団乾燥機としての機能と、冬季における寝具内の暖房を行う機能をあわせ持つ。
【０００６】
【発明の効果】
特に、高温・多湿の夏季の就寝時、仰向けに寝た場合、最も熱と湿気がこもる背中側より、布団内空間に適量の空気を流出させる事による効率的な除湿により、快適な就寝環境を小エネルギーでつくり出す。
同時に、送風装置１にヒーター３を内蔵する事により、夏季のみならず通年に渡って布団乾燥機として機能する他、冬季には寝具の暖房も行う事ができる。また、布製風袋７と内部構造物６を別体とし、取り外し可能とする事により、布製風袋７は手軽に洗濯ができ、内部構造物６も別途水洗いが可能であり、衛生を保つ事ができる。
さらに、ネット状に連結された内部構造物６は、柔軟性のある構造のため、折り畳む、もしくは巻いてコンパクト化する事を可能とし、収納時のスペース効率に配慮している。
【図面の簡単な説明】
【図１】本発明の全体的な概念図である。
【図２】布製風袋の中にセットする構造物の部分図である。
【図３】本発明の使用状態を示す断面図である。
【図４】布製風袋の形状を示す図である。
【符号の説明】
１　送風装置
２　ファン
３　ヒーター
４　制御装置（風量、温度、時間）
５　内部に別体の構造物をセットした布製風袋
６　紐等によってネット状に連結されたパイプ状の中空構造物
７　布製風袋
８　送風管
９　掛け布団
１０シーツ
１１枕
１２敷き布団・マットレス等
１３送風管連結部
１４ベルクロテープ等による内部構造物取り外し用の開封口
１５敷き布団、マットレス等とのズレ防止用紐
【図１】
2004089660.tif 000003
【図２】
2004089660.tif 000004
【図３】
2004089660.tif 000005
【図４】
2004089660.tif 000006
(57)【要約】【課題】ハンガーに衣類などを掛けて、それを物干し竿に掛けている時に強い風が吹いても、ハンガーが、片寄ったり、竿から外れて落ちたりしないハンガー、を提供する。【解決手段】フック（１）の根本（２）と、本体（４）の孔（５）の、間に、紐（３）を設けたことを特徴とするハンガー。【選択図】　　図１
2004089656.tif 000002
【特許請求の範囲】
【請求項１】
フック部分のあるハンガー類のフックから下方向に、紐、又は紐状の部分を設けたハンガー類。
【請求項２】
フック（１）の根本（２）から、本体（４）の孔（５）の、間に、紐（３）を設けた、請求項１の、紐式ハンガー。
【発明の詳細な説明】
【０００１】
【発明の属する技術分野】
この発明は、フック部分から下方向に紐の部分を設けた、ハンガー類に関するものある。
【０００２】
【従来の技術】
従来の、ハンガー類は、フックから、下方向に紐、又は紐状の部分を設けた、ハンガー類はなかった。しかしそうでないハンガー類はあった。
【０００３】
【発明が解決しようとする課題】
それらには、次のような欠点があった。
（イ）　物干し竿などに衣類などを干していても、強い風が吹いた場合などハンガーが片方へ、片寄ったり、竿から外れて落ちる事があった。
（ロ）　フック部分が突き出ているために、携帯や運搬に不便であった。
又、そのために、丸首セーターなどを、逆Ｙ形ハンガーに掛ける場合は不便であった。
【０００４】
【課題が解決するための手段】
フック（１）の根本（２）に、紐（３）の端を取り付ける。ハンガー本体（４）の孔（５）に、他の一方の紐の端を取り付ける。本発明は、以上のように構成された、紐式ハンガーである。
本発明は以上のような構造で、前記欠点を除くためになされたものである。
【０００５】
【発明の実施の形態】
本発明の紐式ハンガーを使用する場合は、図２、に示したように、紐（３）を、竿（６）に掛けて、約一回転させて、フック（１）を紐（３）に引っ掛ける。本発明のハンガー類は以上のような方法で使用をするので、実際に使用した場合には、ハンガーの重さと、衣類などの重さによって、竿が紐によって、鍵前を掛けたように締めつけられるので、強い風が吹くなどしても、絶対に、本発明ハンガーは、片寄ったり、物干し竿などから外れて落ちる事はない。この事が紐式ハンガーの最大の効果であり最大の特長である。又、フック部分をハンガー本体の中に収納できるので、ハンガー自体がコンパクトになるので携帯などの場合に大変に便利である。紐の部分については、紐状以外にも、鎖とか、ベルトなどでもよい。又、糸とか糸状の物でもよい。又、フック部分を、大きくなどすれば、フック部分だけで従来のハンガーのように、竿などに引っ掛ける事ができる。又、本発明の、紐式ハンガーの構造とか、技術とか、アイデアは、逆Ｙ形ハンガー以外にも、丸形ハンガー、角形ハンガー、蛸足ハンガー、など、フック部分のあるハンガー類には、全て利用する事が出来る。本明細書で、フックと表現しているのは鍵部の事で、フック部と根本付近など含めての意味である。図３、は丸形ハンガーを紐式ハンガーに、した場合の斜視図である。根本（２）と、孔（８）の間の、紐（３）が、紐部分である。請求項１、については、フック部分から、従来のハンガー類の、フック部分の根本が取り付けてあった所までの間の、全体、又は、任意の部分に、紐、又は、紐状などの部分を設けると、表現する事ができる。
【０００６】
【発明の効果】
本発明の紐式ハンガーを使用した場合は重力によって、紐の部分で竿などが、鍵前を掛けたように締めつけられるので強い風が吹くなどしても片寄ったり、竿から外れて落ちると言う事は絶対にない。
フック部分を本体の中に収納できるので、携帯などの時に便利である。
構造も、きわめて簡単である。又、紐の部分も強い材質を使用すれば細くてもよい。又、フック部分も、小さくても差し支えはない。
逆Ｙ形ハンガーの場合は、丸首セーターなど掛ける場合に、フック部が突き出していないので掛けやすい。又、フック部は大きいフックと小さいフックが一体となっているものを使用してもよい。
【図面の簡単な説明】
【図１】本発明の正面図である。
【図２】本発明の使用状態を示す斜視図である。
【図３】本発明の丸形ハンガーの斜視図である。
【符号の説明】
１　フック
２　根本
３　紐
４　本体
５　孔
６　竿
７　集結部
８　集結部の孔
９　丸形の本体
【図１】
2004089656.tif 000003
【図２】
2004089656.tif 000004
【図３】
2004089656.tif 000005
(57)【要約】【目的】渦巻状になっている巻線香を、湿気で伸びていても、又、乾燥して縮み上がるときもそれをアシストして綺麗に燃やすための道具。【構成】巻き線香を下から支えて、伸びていく線香を途中で止める長さ（直径）をもっている半楕円形の本体（イ）で、その楕円形の下半分くらい迄を線香が引っかかるようにぎざぎざの鋸状の形（ロ）にし、上から吊り下げる金具（ハ）を付けた巻線香が綺麗に燃えるようアシストする補助金具。【選択図】　図１
2004089652.tif 000002
【特許請求の範囲】
【請求項１】
ステンレス等熱伝導率の悪い金属の鋼線で、半楕円形の形（イ）を作り、途中、或いは全体をぎざぎざの鋸の歯形式（ロ）にし、上から吊り下げる手（ハ）を付けた渦巻き線香を綺麗に燃やす為の補助金具。
【発明の詳細な説明】
【０００１】
【発明の属する技術分野】
渦巻き線香を燃やすときにうまく綺麗に、しかも安全に燃えるように考えた仏具に関するものです。
【０００２】
【従来の技術】
従来、渦巻線香はその真ん中につけている細い糸をフックにぶら下げて燃やすか、或いはガラス繊維の山型のような物に乗せて燃やしていた。
【０００３】
【発明が解決しようとする課題】
渦巻き線香は気候及び環境に左右されることが多く、湿気の多いときには伸びて下について消えたり、又燃えていく熱、或いは温度により、乾燥して硬くなり、縮み上がって行き隣にくっつき、延焼していったり消えたりします。そこでその巻線香が安全に綺麗に燃えるようアシストする金具を考えた。
【０００４】
【課題を解決するための手段】
Ａ）渦巻き線香が消えにくいよう熱伝導率の悪い０．４ミリ以下のステンレス鋼線を使い、渦巻き線香が伸びて垂下がっていかないように渦巻き線香の直径よりやや大きめの半楕円形（イ）を作りる。
Ｂ）その半楕円の形の楕円部分の下方、約半分くらいのところまでを山形のぎざぎざ状（ロ）にし、縮んでいく時引っかかる部分にする。
Ｃ）フックに吊るしやすいようにこの本体自体にもフック（ハ）を取り付ける。
【０００５】
【発明の実施の形態】
渦巻き線香の中心部分、糸のついているところを取はずし、その外したときに出来る穴に本品の吊り下げるためのフック部分（ハ）を通し、渦巻き線香を吊り下げます。
本品の形態は半楕円の直径が渦巻き線香の直径より少し大きめの直径にしているので、渦巻き線香は延びて垂れ下がってきてもこの金具より下にはは下がっていかない。又、縮む場合でもぎざぎざの部分（ロ）に引っ掛かるので、隣の部分に延焼していかず綺麗に燃えていきます。
このぎざぎざの部分はゆるいコイル巻の状態でも綺麗に引っかかるので、コイル状ででも製作できます。
又、半分位までのぎざぎざ、或いはコイル状は全体に使っても同じこの効果が得られます。
以上は細い糸のついている真ん中の吊り下げる部分を取り除いて使うよう考えていますが、もしこのまま糸を利用して使う場合は図２のようにステンレス鋼線を２重に用いて作ればそのまま同じ原理で使える物が作れます。
【図面の簡単な説明】
【図１】本発明平面図
【図２】本発明別形平面図
【図３】本発明使用図
【符号の説明】
（イ）渦巻き線香を下から支える本体
（ロ）線香が上下しないためのぎざぎざ
（ハ）上から下げるためのフック
【図１】
2004089652.tif 000003
【図２】
2004089652.tif 000004
【図３】
2004089652.tif 000005
(57)【要約】　　　（修正有）【課題】この発明は、担当医のパソコンから血液検査の自分の分析数値を聞いて、生活習慣病曲線または生活習慣病チェックリストを作りながら自分の血液分析数値の推移を観察して、行動パターンを決めるときの参考にする方法の提供。【解決手段】血液検査の分析基準値の数値は全国の保険所共通のものを使用する。血液検査後の担当医の診察の際、必要な分析数値を聞いて生活習慣病曲線のソフトかそのチェックリストを使って各分析数値の推移を観察する。自分の現在の血の汚れ具合を数字で表したのが、血液分析数字で、抜粋して折れ線グラフをつくり、そのグラフ上に各抜粋項目の基準値Ｈと基準値Ｌの折れ線グラフを描くと、現実の自分の体調が生活習慣病の入り口にいるか、まだ余裕があるかはっきり知ることができる。【選択図】図１
2004089654.tif 000002
【特許請求の範囲】
【請求項１】
血液分析数値から生活習慣病に関連する数項目とその分析数値を選別して折れ線グラフをつくり、そのグラフ上にそれぞれの検査項目の基準値の最高値Ｈと最低値Ｌの折れ線グラフを書き患者Ａの曲線と３つの曲線を併せて生活習慣病曲線とする。
【請求項２】
生活習慣病チェックリストとする。
グラフを利用しない人達のために、血液検査毎に担当医から分析数字を聞いて記入して２・３ヶ月前とも比較できる資料リストで、月間平均血圧も記入できる。
【請求項１】
とほぼ同じ内容だが、４・５ヶ月にわたって、利用出来る。
【発明の詳細な説明】
▲１▼
【発明の属する技術分野】
この発明は、血液検査の分析数値を担当医のパソコンで保管するのみでなく、患者サイドからも自分の健康向上のために利用する方法に関するものである。
▲２▼
【従来の技術】
血液検査は定期的に行われて診断資料として役立っているが、その検査数値は普通担当医のパソコン内に保管されているだけである。
▲３▼
【発明が解決しようとする課題】
本発明はこの検査項目の数値を患者サイドでも利用し、本気で自分の健康に関心をもち、生活習慣を改善する方法に結び付けれるか何年も研究してきた。
▲４▼
【課題を解決するための手段】
その結果、血液検査項目の分析数値から、患者Ａの生活習慣病に関連する数項目の数値を抜粋して折れ線グラフをつくり、その同じグラフ上に、それぞれの検査項目の基準値の最高値Ｈと最低値Ｌの折れ線グラフを書き、患者Ａの生活習慣病曲線の数値と比較することで、Ａは自分の目で自分の血液が汚れてきたとか、数値が高くなったと行動の反省材料にして、日常生活に運動を取り入れてほしい。
2004089654.tif 000003
▲５▼
【実施例・実施形態】
２・３年前から早朝の３キロ速歩をはじめたが、そのとき知り合った２・３０人のお年寄りたちに、喜ばれています。
▲６▼
【発明の効果】検査数値がすごく改善された。
血液検査結果を自分の目で確認できるので、日々の生活にきまりができた。と好評です。医療費の節約に多大な貢献。
2004089654.tif 000004
2004089654.tif 000005
【手続補正書】
【提出日】平成14年11月30日(2002.11.30)
【手続補正１】
【補正対象書類名】明細書
【補正対象項目名】図面の簡単な説明
【補正方法】変更
【補正の内容】
【図面の簡単な説明】
【図１】は男性用の生活習慣病の判定に用いる図である。
【図２】は女性用の生活習慣病の判定に用いる図である。
【図３】は男性用の生活習慣病の判定に用いる図である。
【図４】は女性用の生活習慣病の判定に用いる図である。
【符号の説明】
１．総コレステ：総コレステロールのことである。
２．ＴＧ：中性脂肪のことである。
３．ＧＯＴとＧＰＴ：からだのさまざまな臓器の細胞の中にある酵素で、からだの重要な構成要素であるアミノ酸をつくる酵素である。
４．空腹時血糖：ＢＳともいわれ糖尿病診断に使われる。血液中のブドウ糖をいう。
５．ＨＤＬコレステロール：善玉コレステロールともいわれ動脈硬化を防ぐ。
６．ＴＰ：血清総蛋白のことである。
７．Ａ／Ｇ：アルブミン／グロブリン比
８．ＨｂＡｌｃ：ヘモグロビンＡｌｃ


【手続補正２】
【補正対象書類名】図面
【補正対象項目名】全図
【補正方法】変更
【補正の内容】
【図１】
2004089654.tif 000006
【図２】
2004089654.tif 000007
【図３】
2004089654.tif 000008
【図４】
2004089654.tif 000009
【手続補正書】
【提出日】平成14年12月11日(2002.12.11)
【手続補正１】
【補正対象書類名】図面
【補正対象項目名】図３
【補正方法】変更
【補正の内容】
【図３】
2004089654.tif 000010
【手続補正２】
【補正対象書類名】図面
【補正対象項目名】図４
【補正方法】変更
【補正の内容】
【図４】
2004089654.tif 000011